【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
前記装置がマルチユーザ（ＭＵ）通信を介してアクセスポイント（ＡＰ）と通信するように構成される間、前記ＡＰへの送信のためにシングルユーザ（ＳＵ）フレームを生成することと、
前記装置がＭＵ通信を介して前記ＡＰと通信するように構成される間、拡張分散チャネルアクセス（ＥＤＣＡ）パラメータの第１のセットに従って媒体アクセスプロシージャを行うことによって、前記ＳＵフレームの送信のために、媒体へのアクセスを求めて競合することと
を行うように構成された処理システムと、
前記媒体が獲得される場合、送信のために前記ＳＵフレームを出力するように構成された第１のインターフェースと
を備える、装置。
【請求項２】
ＥＤＣＡパラメータの前記第１のセットは、前記装置がＭＵ通信を介して前記ＡＰと通信するように構成されないときに前記媒体へのアクセスを求めて競合するために使用されるＥＤＣＡパラメータの第２のセットとは異なる、請求項１に記載の装置。
【請求項３】
前記ＡＰからＥＤＣＡパラメータの前記第１のセットおよびＥＤＣＡパラメータの前記第２のセットを取得するように構成された第２のインターフェースをさらに備える、請求項２に記載の装置。
【請求項４】
前記処理システムは、ＭＵ通信に関連した１つまたは複数の条件を検出することに応答して、ＥＤＣＡパラメータの前記第１のセットを調整するようにさらに構成される、
請求項１に記載の装置。
【請求項５】
前記処理システムは、前記装置がＭＵ通信を介して前記ＡＰと通信するように構成されないときに前記媒体へのアクセスを求めて競合するために使用されるＥＤＣＡパラメータの第２のセットと同じになるように、ＥＤＣＡパラメータの前記第１のセットを設定することによって、ＥＤＣＡパラメータの前記第１のセットを調整するように構成される、
請求項４に記載の装置。
【請求項６】
前記ＳＵフレームは、データフレーム、送信機会（ＴＸＯＰ）要求を有するデータフレーム、待ち行列ステータス情報を有するフレーム、またはＴＸＯＰ要求を示す制御フレームを備える、
請求項１に記載の装置。
【請求項７】
前記ＳＵフレームが送信のために出力された後に、ＳＵ送信機会（ＴＸＯＰ）許可、ＭＵ ＴＸＯＰ許可、または肯定応答（ＡＣＫ）フレームを取得するように構成された第２のインターフェースをさらに備える、請求項１に記載の装置。
【請求項８】
前記ＡＣＫフレームは、前記装置または１つまたは複数の他の装置のうちの少なくとも１つからのＭＵ送信をトリガするために前記ＡＰから送られるフレームの送信のタイミングのインジケーションを備える、請求項７に記載の装置。
【請求項９】
前記装置または１つまたは複数の他の装置のうちの少なくとも１つからのＭＵ送信をトリガするように構成されたトリガフレームを、前記ＡＰから取得するように構成された第２のインターフェースをさらに備える、請求項１に記載の装置。
【請求項１０】
前記トリガフレームは、前記媒体へのコンテンションベースのアクセスのための１つまたは複数のバックオフパラメータを示し、
前記処理システムは、前記１つまたは複数のバックオフパラメータに基づいて、バックオフカウントダウンタイマを開始するように構成される、
請求項９に記載の装置。
【請求項１１】
前記処理システムは、前記トリガフレームを取得することまたは前記トリガフレームによってトリガされたＭＵ送信の成功には関係なく、バックオフカウントダウンタイマを開始し、前記バックオフカウントダウンタイマを維持するように構成される、請求項９に記載の装置。
【請求項１２】
前記処理システムは、前記トリガフレームによってトリガされたＭＵ送信の成功または失敗に少なくとも部分的に基づいて、バックオフカウントダウンを調整するように構成される、請求項９に記載の装置。
【請求項１３】
前記処理システムは、前記トリガフレームによってトリガされたＭＵ送信が成功する場合、ＳＵ送信のために前記媒体にアクセスするためのコンテンションウィンドウを増加させるように構成される、請求項９に記載の装置。
【請求項１４】
前記処理システムは、前記ＳＵフレームの送信のために前記媒体へのアクセスを求める前記競合中に、１つまたは複数のバックオフパラメータを調整するように構成され、前記調整は、前記装置においてバッファされたデータの量に基づく、
請求項１に記載の装置。
【請求項１５】
前記処理システムは、前記装置においてバッファされたデータの前記量が閾値に等しいかまたは閾値を超える場合、コンテンションウィンドウサイズを調整するように構成される、請求項１４に記載の装置。
【請求項１６】
前記装置または１つまたは複数の他の装置のうちの少なくとも１つからのＭＵ送信をトリガするように構成された１つまたは複数のトリガフレームを、前記ＡＰから取得するように構成された第２のインターフェースをさらに備え、
前記処理システムは、前記ＳＵフレームの送信のために前記媒体へのアクセスを求める前記競合中に、１つまたは複数のバックオフパラメータを調整するように構成され、前記調整は、前記ＡＰから取得された前記１つまたは複数のトリガフレームの頻度に基づく、
請求項１に記載の装置。
【請求項１７】
前記処理システムは、前記ＳＵフレームの送信のために前記媒体へのアクセスを求める前記競合中に、１つまたは複数のバックオフパラメータを調整するように構成され、前記調整は、前記ＳＵフレームの長さに基づく、
請求項１に記載の装置。
【請求項１８】
ワイヤレス通信のための装置であって、
複数の装置からのマルチユーザ（ＭＵ）送信をトリガするために、第１のフレームを生成することと、
少なくとも１つのシングルユーザ（ＳＵ）フレームを送るために媒体にアアクセスするのに使用するための拡張分散チャネルアクセス（ＥＤＣＡ）パラメータの第１のセットを、前記複数の装置のうちの１つまたは複数に示すために１つまたは複数の他のフレームを生成することと、
を行うように構成された処理システムと、
送信のために前記第１のフレームを出力することと、
送信のために前記１つまたは複数の他のフレームを出力することと、
を行うように構成された第１のインターフェースと
を備える、装置。
【請求項１９】
前記第１のインターフェースは、送信のために前記第１のフレームを周期的に出力するように構成される、請求項１８に記載の装置。
【請求項２０】
前記複数の装置のうちの１つまたは複数がバッファされたデータを有するとのインジケーションを有する１つまたは複数のフレームを取得するように構成された第２のインターフェース
をさらに備え、前記処理システムは、前記インジケーションに応答して、前記第１のフレームを生成するように構成される、請求項１８に記載の装置。
【請求項２１】
前記１つまたは複数の取得されたフレームは、ＳＵフレームを備える、請求項２０に記載の装置。
【請求項２２】
前記ＳＵフレームは、データフレーム、送信機会（ＴＸＯＰ）要求を有するデータフレーム、待ち行列ステータス情報を有するフレーム、またはＴＸＯＰ要求を示す制御フレームのうちの少なくとも１つを備える、
請求項２１に記載の装置。
【請求項２３】
前記第１のフレームおよび前記１つまたは複数の他のフレームが送信のために出力された後に、前記複数の装置のうちの１つまたは複数から、少なくとも１つのＳＵフレームを取得するように構成された第２のインターフェースをさらに備える、請求項１８に記載の装置。
【請求項２４】
前記複数の装置のうちの１つまたは複数から、少なくとも１つのＳＵフレームを取得するように構成された第２のインターフェースをさらに備え、前記処理システムは、前記取得された少なくとも１つのＳＵフレームに応答して、ＳＵ送信機会（ＴＸＯＰ）許可、ＭＵ ＴＸＯＰ許可、または肯定応答（ＡＣＫ）フレームを生成するようにさらに構成される、請求項１８に記載の装置。
【請求項２５】
前記第１のフレームは、前記媒体へのアクセスを求めて競合するために前記複数の装置のうちの１つまたは複数によって使用するための１つまたは複数のバックオフパラメータを備える、請求項１８に記載の装置。
【請求項２６】
前記複数の装置のうちの１つまたは複数からフレームを取得するように構成された第２のインターフェース
をさらに備え、前記処理システムは、前記取得されたフレームの受信に基づいてバックオフカウントダウンタイマを開始し、前記バックオフカウントダウンタイマに基づいて前記第１のフレームの送信を遅らせるように構成される、請求項１８に記載の装置。
【請求項２７】
前記複数の装置のうちの１つまたは複数に関連付けられた残りのバックオフ時間を示す、前記複数の装置のうちの前記１つまたは複数からのフレームを取得するように構成された第２のインターフェースをさらに備え、前記処理システムは、前記残りのバックオフ時間に基づいて、前記第１のフレームを用いて前記複数の装置のうちの前記１つまたは複数のうちのどれをターゲットとするかを決定するように構成される、請求項１８に記載の装置。
【請求項２８】
装置によるワイヤレス通信のための方法であって、
前記装置がマルチユーザ（ＭＵ）通信を介してアクセスポイント（ＡＰ）と通信するように構成される間、前記ＡＰへの送信のためにシングルユーザ（ＳＵ）フレームを生成することと、
前記装置がＭＵ通信を介して前記ＡＰと通信するように構成される間、拡張分散チャネルアクセス（ＥＤＣＡ）パラメータの第１のセットに従って媒体アクセスプロシージャを行うことによって、前記ＳＵフレームの送信のために、媒体へのアクセスを求めて競合することと、
前記媒体が獲得される場合、送信のために前記ＳＵフレームを出力することと
を備える、方法。
【請求項２９】
それを介して前記ＳＵフレームが送信される送信機
をさらに備え、前記装置は、ワイヤレス局として構成される、請求項１に記載の装置。
【請求項３０】
それを介して前記第１のフレームおよび前記１つまたは複数の他のフレームが送信される送信機
をさらに備え前記装置は、アクセスポイントとして構成される、請求項１８に記載の装置。
【手続補正２】
【補正対象書類名】明細書
【補正対象項目名】０１１７
【補正方法】変更
【補正の内容】
【０１１７】
[0125]  本願請求項は、上に例示されたまさにその構成およびコンポーネントに限定されないことが理解されるだろう。様々な修正、変更、およびバリエーションが、上述される方法および装置の配置、動作、および詳細において、本願の特許請求の範囲から逸脱することなく行われ得る。
以下に本願発明の当初の特許請求の範囲に記載された発明を付記する。
［書類名］特許請求の範囲
［Ｃ１］
ワイヤレス通信のための装置であって、
前記装置がマルチユーザ（ＭＵ）通信を介してアクセスポイント（ＡＰ）と通信するように構成される間、前記ＡＰへの送信のためにシングルユーザ（ＳＵ）フレームを生成するように構成された処理システムと、
送信のために前記ＳＵフレームを出力するように構成された第１のインターフェースと
を備える、装置。
［Ｃ２］
前記処理システムは、拡張分散チャネルアクセス（ＥＤＣＡ）パラメータの第１のセットに従って、前記ＳＵフレームの送信のために、媒体へのアクセスを求めて競合するように構成される、Ｃ１に記載の装置。
［Ｃ３］
ＥＤＣＡパラメータの前記第１のセットは、前記装置がＭＵ通信を介して前記ＡＰと通信するように構成されないときに前記媒体へのアクセスを求めて競合するために使用されるＥＤＣＡパラメータの第２のセットとは異なる、Ｃ２に記載の装置。
［Ｃ４］
前記ＡＰからＥＤＣＡパラメータの前記第１および第２のセットを取得するように構成された第２のインターフェースをさらに備える、Ｃ３に記載の装置。
［Ｃ５］
前記処理システムは、ＭＵ通信に関連した１つまたは複数の条件を検出することに応答して、ＥＤＣＡパラメータの前記第１のセットを調整するようにさらに構成される、
Ｃ２に記載の装置。
［Ｃ６］
前記処理システムは、前記装置がＭＵ通信を介して前記ＡＰと通信するように構成されないときに前記媒体へのアクセスを求めて競合するために使用されるＥＤＣＡパラメータの第２のセットと同じになるように、ＥＤＣＡパラメータの前記第１のセットを設定することによって、ＥＤＣＡパラメータの前記第１のセットを調整するように構成される、
Ｃ５に記載の装置。
［Ｃ７］
前記ＳＵフレームは、データフレーム、送信機会（ＴＸＯＰ）要求を有するデータフレーム、待ち行列ステータス情報を有するフレーム、またはＴＸＯＰ要求を示す制御フレームを備える、
Ｃ１に記載の装置。
［Ｃ８］
前記ＳＵフレームの前記送信の後に、ＳＵ ＴＸＯＰ許可、ＭＵ ＴＸＯＰ許可、または肯定応答（ＡＣＫ）フレームを取得するように構成された第２のインターフェースをさらに備える、Ｃ１に記載の装置。
［Ｃ９］
前記ＡＣＫフレームは、前記装置および１つまたは複数の他の装置からのＭＵ送信をトリガするために前記ＡＰから送られるフレームの送信のタイミングのインジケーションを備える、Ｃ８に記載の装置。
［Ｃ１０］
前記装置および１つまたは複数の他の装置からのＭＵ送信をトリガするように構成されたトリガフレームを、前記ＡＰから取得するように構成された第２のインターフェースをさらに備える、Ｃ１に記載の装置。
［Ｃ１１］
前記トリガフレームは、前記装置および前記１つまたは複数の装置のために、媒体へのコンテンションベースのアクセスのための１つまたは複数のバックオフパラメータを示す、
Ｃ１０に記載の装置。
［Ｃ１２］
前記処理システムは、前記トリガフレームを取得することまたは前記トリガフレームによってトリガされたＭＵ送信の成功には関係なく、バックオフカウントダウンタイマを開始し、前記バックオフカウントダウンタイマを維持するように構成される、Ｃ１０に記載の装置。
［Ｃ１３］
前記処理システムは、前記トリガフレームによってトリガされたＭＵ送信の成功または失敗に少なくとも部分的に基づいて、バックオフカウントダウンを調整するように構成される、Ｃ１０に記載の装置。
［Ｃ１４］
前記処理システムは、前記トリガフレームによってトリガされたＭＵ送信が成功する場合、ＳＵ送信のために前記媒体にアクセスするためのコンテンションウィンドウを増加させるように構成される、Ｃ１０に記載の装置。
［Ｃ１５］
前記処理システムは、前記ＳＵフレームの送信のために媒体へのアクセスを求める競合中に、１つまたは複数のバックオフパラメータを調整するように構成され、前記調整は、前記装置においてバッファされたデータの量に基づく、
Ｃ１に記載の装置。
［Ｃ１６］
前記処理システムは、前記装置においてバッファされたデータの前記量が閾値に等しいかまたは閾値を超える場合、コンテンションウィンドウサイズを調整するように構成される、Ｃ１５に記載の装置。
［Ｃ１７］
前記装置および１つまたは複数の他の装置からのＭＵ送信をトリガするように構成された１つまたは複数のトリガフレームを、前記ＡＰから取得するように構成された第２のインターフェースをさらに備え、
前記処理システムは、前記ＳＵフレームの送信のために媒体へのアクセスを求める競合中に、１つまたは複数のバックオフパラメータを調整するように構成され、前記調整は、前記ＡＰから受信した前記１つまたは複数のトリガフレームの頻度に基づく、
Ｃ１に記載の装置。
［Ｃ１８］
前記処理システムは、前記ＳＵフレームの送信のために媒体へのアクセスを求める競合中に、１つまたは複数のバックオフパラメータを調整するように構成され、前記調整は、前記ＳＵフレームの長さに基づく、
Ｃ１に記載の装置。
［Ｃ１９］
ワイヤレス通信のための装置であって、
複数の装置からのマルチユーザ（ＭＵ）送信をトリガするために、第１のフレームを生成することによって媒体へのアクセスを求めて競合するように構成された処理システムと、
送信のために前記第１のフレームを出力するように構成された第１のインターフェースと
を備える、装置。
［Ｃ２０］
前記処理システムは、前記複数の装置からのＭＵ送信をトリガするために、第２のフレームを周期的に生成するように構成される、Ｃ１９に記載の装置。
［Ｃ２１］
前記複数の装置のうちの１つまたは複数がバッファされたデータを有するとのインジケーションを有する１つまたは複数のフレームを取得するように構成された第２のインターフェース
をさらに備え、前記処理システムは、前記インジケーションに応答して、前記第１のフレームを生成するように構成される、Ｃ１９に記載の装置。
［Ｃ２２］
前記１つまたは複数の取得されたフレームは、シングルユーザ（ＳＵ）フレームを備える、Ｃ２１に記載の装置。
［Ｃ２３］
前記ＳＵフレームは、データフレーム、送信機会（ＴＸＯＰ）要求を有するデータフレーム、待ち行列ステータス情報を有するフレーム、またはＴＸＯＰ要求を示す制御フレームのうちの少なくとも１つを備える、
Ｃ２２に記載の装置。
［Ｃ２４］
前記複数の装置のうちの１つまたは複数から、少なくとも１つのシングルユーザ（ＳＵ）フレームを取得するように構成された第２のインターフェースをさらに備え、前記処理システムは、前記少なくとも１つのＳＵフレームを送るために前記媒体にアクセスするのに使用するための拡張分散チャネルアクセス（ＥＤＣＡ）パラメータの第１のセットを、他の全ての装置に示すための１つまたは複数のフレームを生成するように構成される、Ｃ１９に記載の装置。
［Ｃ２５］
前記複数の装置のうちの１つまたは複数から、少なくとも１つのシングルユーザ（ＳＵ）フレームを取得するように構成された第２のインターフェースをさらに備え、前記処理システムは、前記ＳＵフレームに応答して、ＳＵ送信機会（ＴＸＯＰ）許可、ＭＵ ＴＸＯＰ許可、または肯定応答（ＡＣＫ）フレームを生成するようにさらに構成される、Ｃ１９に記載の装置。
［Ｃ２６］
前記処理システムは、前記第１のフレーム内に、前記複数の装置による前記媒体へのコンテンションベースのアクセスのための１つまたは複数のバックオフパラメータを含めるようにさらに構成される、Ｃ１９に記載の装置。
［Ｃ２７］
前記複数の装置のうちの１つまたは複数からフレームを取得するように構成された第２のインターフェース
をさらに備え、前記処理システムは、前記取得されたフレームの受信に基づいてバックオフカウントダウンタイマを開始し、前記バックオフカウントダウンタイマに基づいて前記第１のフレームの送信を遅らせるように構成される、Ｃ１９に記載の装置。
［Ｃ２８］
前記複数の装置のうちの１つまたは複数に関連付けられた残りのバックオフ時間を示す、前記複数の装置のうちの前記１つまたは複数からのフレームを取得するように構成された第２のインターフェースをさらに備え、前記処理システムは、前記残りのバックオフ時間に基づいて前記第１のフレームを用いてどの装置をターゲットとするかを決定するように構成される、Ｃ１９に記載の装置。
［Ｃ２９］
装置によるワイヤレス通信のための方法であって、
前記装置がマルチユーザ（ＭＵ）送信を介してアクセスポイント（ＡＰ）と通信するように構成される間、前記ＡＰへの送信のためにシングルユーザ（ＳＵ）フレームを生成することと、
送信のために前記ＳＵフレームを出力することと
を備える、方法。
［Ｃ３０］
拡張分散チャネルアクセス（ＥＤＣＡ）パラメータの第１のセットに従って、前記ＳＵフレームの送信のために、媒体へのアクセスを求めて競合することをさらに備える、Ｃ２９に記載の方法。
［Ｃ３１］
ＥＤＣＡパラメータの前記第１のセットは、前記装置がＭＵ通信を介して前記ＡＰと通信するように構成されないときに前記媒体へのアクセスを求めて競合するために使用されるＥＤＣＡパラメータの第２のセットとは異なる、Ｃ３０に記載の方法。
［Ｃ３２］
前記ＡＰからＥＤＣＡパラメータの前記第１および第２のセットを取得することをさら備える、Ｃ３１に記載の方法。
［Ｃ３３］
ＭＵ通信に関連した１つまたは複数の条件を検出することに応答して、ＥＤＣＡパラメータの前記第１のセットを調整すること
をさらに備える、Ｃ３０に記載の方法。
［Ｃ３４］
前記調整することは、
前記装置がＭＵ通信を介して前記ＡＰと通信するように構成されないときに前記媒体へのアクセスを求めて競合するために使用されるＥＤＣＡパラメータの第２のセットと同じになるようにＥＤＣＡパラメータの前記第１のセットを設定すること
を備える、Ｃ３３に記載の方法。
［Ｃ３５］
前記ＳＵフレームは、データフレーム、送信機会（ＴＸＯＰ）要求を有するデータフレーム、待ち行列ステータス情報を有するフレーム、またはＴＸＯＰ要求を示す制御フレームを備える、
Ｃ２９に記載の方法。
［Ｃ３６］
前記ＳＵフレームの前記送信の後に、ＳＵ ＴＸＯＰ許可、ＭＵ ＴＸＯＰ許可、または肯定応答（ＡＣＫ）フレームを取得することをさらに備える、Ｃ２９に記載の方法。
［Ｃ３７］
前記ＡＣＫフレームは、前記装置および１つまたは複数の他の装置からのＭＵ送信をトリガするために前記ＡＰから送られるフレームの送信のタイミングのインジケーションを備える、Ｃ３６に記載の方法。
［Ｃ３８］
前記装置および１つまたは複数の他の装置からのＭＵ送信をトリガするように構成されたトリガフレームを、前記ＡＰから取得することをさらに備える、Ｃ２９に記載の方法。
［Ｃ３９］
前記トリガフレームは、前記装置および前記１つまたは複数の装置のために、媒体へのコンテンションベースのアクセスのための１つまたは複数のバックオフパラメータを示す、
Ｃ３８に記載の方法。
［Ｃ４０］
前記トリガフレームを取得することまたは前記トリガフレームによってトリガされたＭＵ送信の成功には関係なく、バックオフカウントダウンタイマを開始すること、および前記バックオフカウントダウンタイマを維持する、をさらに備える、Ｃ３８に記載の方法。
［Ｃ４１］
前記トリガフレームによってトリガされたＭＵ送信の成功または失敗に少なくとも部分的に基づいて、バックオフカウントダウンを調整することをさらに備える、Ｃ３８に記載の方法。
［Ｃ４２］
前記トリガフレームによってトリガされたＭＵ送信が成功する場合、ＳＵ送信のために前記媒体にアクセスするためのコンテンションウィンドウを増加させることをさらに備える、Ｃ３８に記載の方法。
［Ｃ４３］
前記ＳＵフレームの送信のために媒体へのアクセスを求める競合中に、１つまたは複数のバックオフパラメータを調整することをさらに備え、前記調整は、前記装置においてバッファされたデータの量に基づく、
Ｃ２９に記載の方法。
［Ｃ４４］
前記装置においてバッファされたデータの前記量が閾値に等しいかまたは閾値を超える場合、コンテンションウィンドウサイズを調整することをさらに備える、Ｃ４３に記載の方法。
［Ｃ４５］
前記装置および１つまたは複数の他の装置からのＭＵ送信をトリガするように構成された１つまたは複数のトリガフレームを、前記ＡＰから取得することと、
前記ＳＵフレームの送信のために媒体へのアクセスを求める競合中に、１つまたは複数のバックオフパラメータを調整することと、前記調整は、前記ＡＰから受信した前記１つまたは複数のトリガフレームの頻度に基づく、
をさらに備える、Ｃ２９に記載の方法。
［Ｃ４６］
前記ＳＵフレームの送信のために媒体へのアクセスを求める競合中に、１つまたは複数のバックオフパラメータを調整すること
をさらに備え、前記調整は、前記ＳＵフレームの長さに基づく、
Ｃ２９に記載の方法。
［Ｃ４７］
装置によるワイヤレス通信のための方法であって、
複数の装置からのマルチユーザ（ＭＵ）送信をトリガするために、第１のフレームを生成することによって媒体へのアクセスを求めて競合することと、
送信のために前記ＳＵフレームを出力することと
を備える、方法。
［Ｃ４８］
前記複数の装置からのＭＵ送信をトリガするために、第２のフレームを周期的に生成することをさらに備える、Ｃ４７に記載の方法。
［Ｃ４９］
前記複数の装置のうちの１つまたは複数がバッファされたデータを有するとのインジケーションを有する１つまたは複数のフレームを取得することと、
前記インジケーションに応答して、前記第１のフレームを生成することと
をさらに備える、Ｃ４７に記載の方法。
［Ｃ５０］
前記１つまたは複数の取得されたフレームは、シングルユーザ（ＳＵ）フレームを備える、Ｃ４９に記載の方法。
［Ｃ５１］
前記ＳＵフレームは、データフレーム、送信機会（ＴＸＯＰ）要求を有するデータフレーム、待ち行列ステータス情報を有するフレーム、またはＴＸＯＰ要求を示す制御フレームのうちの少なくとも１つを備える、
Ｃ５０に記載の方法。
［Ｃ５２］
前記複数の装置のうちの１つまたは複数から、少なくとも１つのシングルユーザ（ＳＵ）フレームを取得することと、
前記少なくとも１つのＳＵフレームを送るために前記媒体にアクセスするのに使用するための拡張分散チャネルアクセス（ＥＤＣＡ）パラメータの第１のセットを、他の全ての装置に示すための１つまたは複数のフレームを生成することと
をさらに備える、Ｃ４７に記載の方法。
［Ｃ５３］
前記複数の装置のうちの１つまたは複数から、少なくとも１つのシングルユーザ（ＳＵ）フレームを取得することと、
前記ＳＵフレームに応答して、ＳＵ送信機会（ＴＸＯＰ）許可、ＭＵ ＴＸＯＰ許可、または肯定応答（ＡＣＫ）フレームを生成することと
をさらに備える、Ｃ４７に記載の方法。
［Ｃ５４］
前記第１のフレーム内に、前記複数の装置による前記媒体へのコンテンションベースのアクセスのための１つまたは複数のバックオフパラメータを含めることをさらに備える、Ｃ４７に記載の方法。
［Ｃ５５］
前記複数の装置のうちの１つまたは複数からフレームを取得することと、
前記取得されたフレームの受信に基づいてバックオフカウントダウンタイマを開始することと、前記バックオフカウントダウンタイマに基づいて前記第１のフレームの送信を遅らせる
をさらに備える、Ｃ４７に記載の方法。
［Ｃ５６］
前記複数の装置のうちの１つまたは複数に関連付けられた残りのバックオフ時間を示す、前記複数の装置のうちの前記１つまたは複数からのフレームを取得することと、
前記残りのバックオフ時間に基づいて前記第１のフレームを用いてどの装置をターゲットとするかを決定することと
をさらに備える、Ｃ４７に記載の方法。
［Ｃ５７］
ワイヤレス通信のための装置であって、
前記装置がマルチユーザ（ＭＵ）通信を介してアクセスポイント（ＡＰ）と通信するように構成される間、前記ＡＰへの送信のためにシングルユーザ（ＳＵ）フレームを生成するための手段と、
送信のために前記ＳＵフレームを出力するための手段と
を備える、装置。
［Ｃ５８］
拡張分散チャネルアクセス（ＥＤＣＡ）パラメータの第１のセットに従って、前記ＳＵフレームの送信のために、媒体へのアクセスを求めて競合するための手段をさらに備える、Ｃ５７に記載の装置。
［Ｃ５９］
ＥＤＣＡパラメータの前記第１のセットは、前記装置がＭＵ通信を介して前記ＡＰと通信するように構成されないときに前記媒体へのアクセスを求めて競合するために使用されるＥＤＣＡパラメータの第２のセットとは異なる、Ｃ５８に記載の装置。
［Ｃ６０］
前記ＡＰからＥＤＣＡパラメータの前記第１および第２のセットを取得するための手段をさらに備える、Ｃ５８に記載の装置。
［Ｃ６１］
ＭＵ通信に関連した１つまたは複数の条件を検出することに応答して、ＥＤＣＡパラメータの前記第１のセットを調整するための手段
をさらに備える、Ｃ５９に記載の装置。
［Ｃ６２］
調整するための前記手段は、
前記装置がＭＵ通信を介して前記ＡＰと通信するように構成されないときに前記媒体へのアクセスを求めて競合するために使用されるＥＤＣＡパラメータの第２のセットと同じになるようにＥＤＣＡパラメータの前記第１のセットを設定するための手段
を備える、Ｃ６１に記載の装置。
［Ｃ６３］
前記ＳＵフレームは、データフレーム、送信機会（ＴＸＯＰ）要求を有するデータフレーム、待ち行列ステータス情報を有するフレーム、またはＴＸＯＰ要求を示す制御フレームを備える、
Ｃ５７に記載の装置。
［Ｃ６４］
前記ＳＵフレームの前記送信の後に、ＳＵ ＴＸＯＰ許可、ＭＵ ＴＸＯＰ許可、または肯定応答（ＡＣＫ）フレームを取得するための手段をさらに備える、Ｃ５７に記載の装置。
［Ｃ６５］
前記ＡＣＫフレームは、前記装置および１つまたは複数の他の装置からのＭＵ送信をトリガするために前記ＡＰから送られるフレームの送信のタイミングのインジケーションを備える、Ｃ６４に記載の装置。
［Ｃ６６］
前記装置および１つまたは複数の他の装置からのＭＵ送信をトリガするように構成されたトリガフレームを、前記ＡＰから取得するための手段をさらに備える、Ｃ５７に記載の装置。
［Ｃ６７］
前記トリガフレームは、前記装置および前記１つまたは複数の装置のために、媒体へのコンテンションベースのアクセスのための１つまたは複数のバックオフパラメータを示す、
Ｃ６６に記載の装置。
［Ｃ６８］
前記トリガフレームを取得することまたは前記トリガフレームによってトリガされたＭＵ送信の成功には関係なく、バックオフカウントダウンタイマを開始し、前記バックオフカウントダウンタイマを維持するための手段をさらに備える、Ｃ６６に記載の装置。
［Ｃ６９］
前記トリガフレームによってトリガされたＭＵ送信の成功または失敗に少なくとも部分的に基づいて、バックオフカウントダウンを調整するための手段をさらに備える、Ｃ６６に記載の装置。
［Ｃ７０］
前記トリガフレームによってトリガされたＭＵ送信が成功する場合、ＳＵ送信のために前記媒体にアクセスするためのコンテンションウィンドウを増加させるための手段をさらに備える、Ｃ６６に記載の装置。
［Ｃ７１］
前記ＳＵフレームの送信のために媒体へのアクセスを求める競合中に、１つまたは複数のバックオフパラメータを調整するための手段
をさらに備え、前記調整は、前記装置においてバッファされたデータの量に基づく、Ｃ５７に記載の装置。
［Ｃ７２］
前記装置においてバッファされたデータの前記量が閾値に等しいかまたは閾値を超える場合、コンテンションウィンドウサイズを調整するための手段をさらに備える、Ｃ７１に記載の装置。
［Ｃ７３］
前記装置および１つまたは複数の他の装置からのＭＵ送信をトリガするように構成された１つまたは複数のトリガフレームを、前記ＡＰから取得するための手段と、
前記ＳＵフレームの送信のために媒体へのアクセスを求める競合中に、１つまたは複数のバックオフパラメータを調整するための手段と、
をさらに備え、前記調整は、前記ＡＰから受信した前記１つまたは複数のトリガフレームの周波数に基づく、Ｃ５７に記載の装置。
［Ｃ７４］
前記ＳＵフレームの送信のために媒体へのアクセスを求める競合中に、１つまたは複数のバックオフパラメータを調整するための手段をさらに備え、前記調整は、前記ＳＵフレームの長さに基づく、
Ｃ５７に記載の装置。
［Ｃ７５］
ワイヤレス通信のための装置であって、
複数の装置からのマルチユーザ（ＭＵ）送信をトリガするために、第１のフレームを生成することによって媒体へのアクセスを求めて競合するための手段と、
送信のために前記第１のフレームを出力するための手段と
を備える、装置。
［Ｃ７６］
前記複数の装置からのＭＵ送信をトリガするために、第２のフレームを周期的に生成するための手段をさらに備える、Ｃ７５に記載の装置。
［Ｃ７７］
前記複数の装置のうちの１つまたは複数がバッファされたデータを有するとのインジケーションを有する１つまたは複数のフレームを取得するための手段と、
前記インジケーションに応答して、前記第１のフレームを生成するための手段と
をさらに備える、Ｃ７５に記載の装置。
［Ｃ７８］
前記１つまたは複数の取得されたフレームは、シングルユーザ（ＳＵ）フレームを備える、Ｃ７７に記載の装置。
［Ｃ７９］
前記ＳＵフレームは、データフレーム、送信機会（ＴＸＯＰ）要求を有するデータフレーム、待ち行列ステータス情報を有するフレーム、またはＴＸＯＰ要求を示す制御フレームのうちの少なくとも１つを備える、
Ｃ７８に記載の装置。
［Ｃ８０］
前記複数の装置のうちの１つまたは複数から、少なくとも１つのシングルユーザ（ＳＵ）フレームを取得するための手段と、
前記少なくとも１つのＳＵフレームを送るために前記媒体にアクセスするのに使用するための拡張分散チャネルアクセス（ＥＤＣＡ）パラメータの第１のセットを、他の全ての装置に示すための１つまたは複数のフレームを生成するための手段と
をさらに備える、Ｃ７５に記載の装置。
［Ｃ８１］
前記複数の装置のうちの１つまたは複数から、少なくとも１つのシングルユーザ（ＳＵ）フレームを取得するための手段と、
前記ＳＵフレームに応答して、ＳＵ送信機会（ＴＸＯＰ）許可、ＭＵ ＴＸＯＰ許可、または肯定応答（ＡＣＫ）フレームを生成するための手段と
をさらに備える、Ｃ７５に記載の装置。
［Ｃ８２］
前記第１のフレーム内に、前記複数の装置による前記媒体へのコンテンションベースのアクセスのための１つまたは複数のバックオフパラメータを含めるための手段をさらに備える、Ｃ７５に記載の装置。
［Ｃ８３］
前記複数の装置のうちの１つまたは複数からフレームを取得するための手段と、
前記取得されたフレームの受信に基づいてバックオフカウントダウンタイマを開始し、前記バックオフカウントダウンタイマに基づいて前記第１のフレームの送信を遅らせるための手段と
をさらに備える、Ｃ７５に記載の装置。
［Ｃ８４］
前記複数の装置のうちの１つまたは複数に関連付けられた残りのバックオフ時間を示す、前記複数の装置のうちの前記１つまたは複数からのフレームを取得するための手段と、
前記残りのバックオフ時間に基づいて前記第１のフレームを用いてどの装置をターゲットとするかを決定するための手段と
をさらに備える、Ｃ７５に記載の装置。
［Ｃ８５］
装置がマルチユーザ（ＭＵ）通信を介してアクセスポイント（ＡＰ）と通信するように構成される間、前記ＡＰへの送信のためにシングルユーザ（ＳＵ）フレームを生成することと、
送信のために前記ＳＵフレームを出力することと
を行うための命令を記憶する、コンピュータ可読媒体。
［Ｃ８６］
複数の装置からのマルチユーザ（ＭＵ）送信をトリガするために、第１のフレームを生成することによって媒体へのアクセスを求めて競合することと、
送信のために前記第１のフレームを出力することと
を行うための命令を記憶する、コンピュータ可読媒体。
［Ｃ８７］
局であって、
少なくとも１つのアンテナと、
前記局がマルチユーザ（ＭＵ）通信を介してアクセスポイント（ＡＰ）と通信するように構成される間、前記ＡＰへの送信のためにシングルユーザ（ＳＵ）フレームを生成するように構成された処理システムと、
前記少なくとも１つのアンテナを介して前記ＳＵフレームを送信するように構成された送信機と
を備える、局。
［Ｃ８８］
アクセスポイント（ＡＰ）であって、
少なくとも１つのアンテナと、
複数の装置からのマルチユーザ（ＭＵ）送信をトリガするために、第１のフレームを生成することによって媒体へのアクセスを求めて競合するように構成された処理システムと、
前記少なくとも１つのアンテナを介して前記第１のフレームを送信するように構成された送信機と
を備える、アクセスポイント。